(57)【要約】【課題】ドライバーが特定の電装品動作状態を知りたい場合、ドライバーがナビゲーション画面を一瞬見るだけで、知りたい特定の電装品動作状態を容易に認識することができるナビゲーション装置、方法及びプログラムを提供すること。【解決手段】ナビゲーション画面の道路地図上に自車位置マークを表示するナビゲーション装置において、車載の外装ランプの動作の有無と動作状態を検出する外装ランプ動作検出手段（車両インタフェース部５）と、前記外装ランプ動作検出手段により外装ランプの動作が検出されると、前記自車位置マークに反映させて検出された特定の外装ランプ動作状態を表示する外装ランプ動作情報表示制御手段（図２のステップＳ１〜ステップＳ５）と、を備えた。【選択図】図２
2008032603.tif 000002
【特許請求の範囲】
【請求項１】
目的地を設定すると、表示部に画面表示された道路地図上に、自車が存在する位置を自車位置マークにて表示し、自車の移動に応じて道路地図と自車位置マークとの位置関係を移動させながら目的地までの経路を案内するナビゲーション装置において、
車載の電装品の動作の有無と動作状態を検出する電装品動作検出手段と、
前記電装品動作検出手段により電装品の動作が検出されると、前記自車位置マークに反映させて検出された特定の電装品動作状態を表示する電装品動作情報表示制御手段と、
を備えたことを特徴とするナビゲーション装置。
【請求項２】
請求項１に記載されたナビゲーション装置において、
前記電装品動作検出手段は、自車のライティングシステムから外装ランプ動作信号が入力された場合に外装ランプ動作時であると検出し、かつ、入力された外装ランプ動作信号の変化により外装ランプ動作状態を検出することを特徴とするナビゲーション装置。
【請求項３】
請求項１または２に記載されたナビゲーション装置において、
前記表示部は、電装品動作状態をあらわす車両情報を表示するか否かを選択する情報選択画面を有し、
前記情報選択画面は、車両情報表示方法の選択肢として、自車位置マーク外に車両情報を表示するマーク外表示選択部と、自車位置マークを通常表示より大きく表示すると共に大きな自車位置マーク内に車両情報を表示するマーク内表示選択部と、を備えていることを特徴とするナビゲーション装置。
【請求項４】
請求項３に記載されたナビゲーション装置において、
前記情報選択画面により電装品動作状態をあらわす車両情報を表示する選択をすると前記表示部に表示する自車位置マークのデザインを車の形状とし、
前記表示部は、前記情報選択画面によりマーク外表示選択部を選択すると、車形状の自車位置マークの外周位置に付した印を点灯あるいは点滅しているように描画し、前記情報選択画面によりマーク内表示選択部を選択すると、車形状の自車位置マークでの実際のランプ位置に相当する位置を点灯あるいは点滅しているように描画することを特徴とするナビゲーション装置。
【請求項５】
請求項１乃至４の何れか１項に記載されたナビゲーション装置において、
前記電装品動作検出手段により電装品動作が検出された後、正常時の作動時間を超えて動作が継続したとき、または、動作状態が正常な状態ではないとき、または、電装品の動作中に不都合な操作をしたとき、電装品動作情報が異常であると判定する電装品動作情報異常判定手段と、
前記電装品動作情報異常判定手段により電装品動作情報が異常であると判定された場合、異常であることの確認メッセージを表示や音声で知らせる異常報知手段と、
を備えたことを特徴とするナビゲーション装置。
【請求項６】
目的地を設定すると、表示部に画面表示された道路地図上に、自車が存在する位置を自車位置マークにて表示し、自車の移動に応じて道路地図と自車位置マークとの位置関係を移動させながら目的地までの経路を案内するナビゲーション方法において、
車載の電装品の動作の有無と動作状態を検出する電装品動作検出手順と、
前記電装品動作検出手順により電装品の動作が検出されると、前記自車位置マークに反映させて検出された特定の電装品動作状態を表示する電装品動作情報表示制御手順と、
を備えたことを特徴とするナビゲーション方法。
【請求項７】
目的地を設定すると、表示部に画面表示された道路地図上に、自車が存在する位置を自車位置マークにて表示し、自車の移動に応じて道路地図と自車位置マークとの位置関係を移動させながら目的地までの経路を案内するナビゲーションコンピュータのプログラムに、
車載の電装品の動作の有無と動作状態を検出する電装品動作検出機能と、
前記電装品動作検出機能により電装品の動作が検出されると、前記自車位置マークに反映させて検出された特定の電装品動作状態を表示する電装品動作情報表示制御機能と、
を持たせたことを特徴とするナビゲーションプログラム。
【発明の詳細な説明】
【技術分野】
【０００１】
本発明は、ナビゲーション画面に表示された自車位置マークを利用して外装ランプ動作情報などの電装品動作情報を表示する機能を付加したナビゲーション装置、方法及びプログラムに関する。
【背景技術】
【０００２】
従来のナビゲーション装置としては、トンネル通過後、ライトを消し忘れた場合、そのことを知らせることを目的とし、自車位置を特定して表示する手段を有するとともに、トンネル通過後、一定距離走行してもライトが消されない場合、音声ガイダンスなどでドライバーに知らせる手段を有する付加情報部を備えたものが知られている。
ここで、付加情報部は、車両のライトのON/OFFを検知するライト検知部と、ドライバーがライトを消し忘れていないか判定する消し忘れ判定部と、ドライバーに有効な情報を音声で知らせる音声ガイダンス部と、を有する（例えば、特許文献１参照）。
【特許文献１】特開２０００−１６１９６７号公報
【発明の開示】
【発明が解決しようとする課題】
【０００３】
しかしながら、従来のナビゲーション装置にあっては、ライトを消し忘れたときに報知する機能を有していても、ライトの動作状態をドライバーに知らせる機能はなく、ドライバーがライトの動作状態を知りたい場合には、スピードメータ周辺に配置されている灯類などを見るしかなかったため、ドライバーがライトの動作状態を認識するために、一瞬、この灯類による表示を見ただけでは、確認できないときがある、という問題があった。
【０００４】
例えば、複数の外装ランプのうち、それぞれのランプに対応する表示灯は、スピードメータや燃料計やタコメータやその周辺部分に分散して配置されるというように、１箇所に集中して配置されていない。このため、特定の１つのランプ動作を確認しようとしてドライバーがスピードメータに目を移しても、そのランプ表示灯が、例えば、スピードメータ内に無く燃料計内等にあった場合には、特定の１つのランプの動作を確認できないことになる。
【０００５】
本発明は、上記問題に着目してなされたもので、ドライバーが特定の電装品動作状態を知りたい場合、ドライバーがナビゲーション画面を一瞬見るだけで、知りたい特定の電装品動作状態を容易に認識することができるナビゲーション装置、方法及びプログラムを提供することを目的とする。
【課題を解決するための手段】
【０００６】
上記目的を達成するため、本発明では、目的地を設定すると、表示部に画面表示された道路地図上に、自車が存在する位置を自車位置マークにて表示し、自車の移動に応じて道路地図と自車位置マークとの位置関係を移動させながら目的地までの経路を案内するナビゲーション装置において、
車載の電装品の動作の有無と動作状態を検出する電装品動作検出手段と、
前記電装品動作検出手段により電装品の動作が検出されると、前記自車位置マークに反映させて検出された特定の電装品動作状態を表示する電装品動作情報表示制御手段と、
を備えたことを特徴とする。
【発明の効果】
【０００７】
よって、本発明のナビゲーション装置にあっては、電装品動作検出手段において、車載の電装品の動作の有無と動作状態が検出されると、電装品動作情報表示制御手段において、表示部の道路地図上に表示した自車位置マークに反映させて検出された特定の電装品動作状態が表示される。
すなわち、ドライバーが特定の電装品動作状態を知りたい場合、スピードメータ周辺に分散して配置されている灯類のうち、特定の電装品動作を表示する表示灯がどれかを判別した上で、判別した表示灯の点灯や点滅を確認するというように、複雑な認識動作を行う必要が無く、ナビゲーション画面の自車位置マークの部分という１箇所に集約された表示を見るだけで良い。
この結果、ドライバーが特定の電装品動作状態を知りたい場合、ナビゲーション画面を一瞬見るだけで、ナビゲーション画面の自車位置マークに反映させて表示されている電装品動作状態により、知りたい特定の電装品動作状態を容易に認識することができる。
【発明を実施するための最良の形態】
【０００８】
以下、本発明のナビゲーション装置、方法及びプログラムを実現する最良の形態を、図面に示す実施例１に基づいて説明する。
【実施例１】
【０００９】
まず、構成を説明する。
図１は実施例１のナビゲーション装置、方法及びプログラムが採用されたナビゲーションシステムを示すシステムブロック図である。
【００１０】
実施例１におけるナビゲーションシステムは、図１に示すように、入力情報を得る手段として、絶対位置・方位検出部１と、相対方位検出部２と、車速検出部３と、ＶＩＣＳ情報受信部４と、車両インタフェース部５（電装品動作検出手段）と、を備えている。
前記絶対位置・方位検出部１は、本システムが搭載された自車の現在地、すなわち、自車位置について、地表での絶対位置座標や方位を計算するために、ＧＰＳ衛星から送られてくる電波を、アンテナやレシーバなどで受信するための部分である。
なお、ＧＰＳ（Global Positioning Systemの略称）とは、全世界測位システムのことであり、ＧＰＳ衛星が、高度約21000kmの円軌道で地球を周回しながら電波を発信している。
前記相対方位検出部２は、ジャイロセンサ（角速度センサ）などを使って自車位置の相対的な方位を検出するための部分である。
前記車速検出部３は、自車位置の速度を計算するために、自車の車速センサにより得られる車速パルスを処理するための部分である。
前記ＶＩＣＳ情報受信部４は、様々な交通情報を集約し、道路上に設置されたビーコンやＦＭ多重放送によって最新の道路情報を受信するための部分である。
なお、ＶＩＣＳ（Vehicle Information and Communication Systemの略称）とは、道路交通情報通信システムのことであり、各都道府県の警察署が収集した一般道路の情報と、道路公団が収集した高速道路の情報がＶＩＣＳセンターに集約され、発信されている。
また、道路情報とは、渋滞情報（事故渋滞や自然渋滞など）だけではなく、速度規制情報や道路工事の案内情報なども含まれる。
前記車両インタフェース部５は、車載電装品からの各種車両信号による車両情報をメインＣＰＵ及びその周辺回路６に取り込むための部分である。
本システムでは、自車のライティングシステム（電装品）から外装ランプ動作信号を特定の車両信号とし、外装ランプ動作信号が入力された場合に外装ランプ動作時であると検出し、かつ、入力された外装ランプ動作信号の変化により外装ランプ動作状態を検出する。
前記外装ランプ動作信号とは、ウインカーランプ（方向指示灯）、ハザードランプ（非常点滅表示灯）、ヘッドランプ、テールランプ、ブレーキランプなどによる車両の外側に装備された外装ランプからのランプ動作信号をいう。
【００１１】
実施例１におけるナビゲーションシステムは、図１に示すように、演算処理や記憶処理を行う手段として、メインＣＰＵ及びその周辺回路６と、記憶部７と、ディスク制御部８と、を備えている。
前記メインＣＰＵ及びその周辺回路６は、本ナビゲーションシステム全体を制御する制御回路の役割を果たす部分である。
前記記憶部７は、システム作業領域やプログラム収納などを行う部分であり、ＲＯＭ７ａと、ＤＲＡＭ７ｂと、ＳＲＡＭ７ｃと、ＶＲＡＭ７ｄと、を有する。
前記ＲＯＭ７ａは、ＢＩＯＳ（Basic Input/Output Systemの略称）やブートプログラムなどを予め格納し、本システムの起動時にメインＣＰＵ及びその周辺回路６によってアクセスされる。また、前記ＤＲＡＭ７ｂは、ワークエリアなどに使用される。また、前記ＳＲＡＭ７ｃは、不揮発性のメモリであり、自車のアクセサリ電源など本システムのメイン電源がオフになっている間も、電池などでバックアップされることでメモリ内容を保持するものである。また、前記ＶＲＡＭ７ｄは、後述する表示部１０でビデオ表示を行うためのメモリである。
前記ディスク制御部８は、地図データなどを記憶するための手段であり、例えば、ＣＤ−ＲＯＭやＤＶＤ−ＲＯＭやハードディスクなどがある。
【００１２】
実施例１におけるナビゲーションシステムは、図１に示すように、画面表示や入力操作を行う手段として、ユーザインターフェース部９と、表示部１０と、入力部１１と、を備えている。
前記ユーザインターフェース部９は、I/O制御回路や駆動回路などを使って、表示部１０及び入力部１１と、前記メインＣＰＵ及びその周辺回路６とを結ぶインターフェースである。
前記表示部１０は、ドライバから視認しやすいインストルメントパネル位置などに設置され、道路地図や操作メニューなどの各種情報を液晶画面などにより表示するディスプレイ部分である。
前記入力部１１は、ドライバがリモコンやタッチパネルなどを使って命令を本システムに入力するための部分である。
【００１３】
実施例１におけるナビゲーションシステムは、図１に示すように、音声案内手段として、音声合成部１２と、ＡＭＰ部１３と、スピーカ１４と、を備えている。
前記音声合成部１２は、音声案内を行うための音声を合成する部分である。
前記ＡＭＰ部１３は、音声案内用のスピーカ１４を駆動するために合成された音声を増幅する部分である。
前記スピーカ１４は、車室内に向けて配置され、ＡＭＰ部１３からの駆動信号により音声を発する部分である。
【００１４】
図２は実施例１のナビゲーションシステムにて実行されるランプ動作情報表示処理、ランプ動作情報異常判定処理及び異常報知処理の流れを示すフローチャートであり、以下、各ステップについて説明する。
なお、前記表示部１０は、ランプ動作状態をあらわす車両情報を表示するか否かを選択する情報選択画面１５を有する。この情報選択画面１５は、図３に示すように、車両情報表示をする情報表示許可選択部１５ａ（図３において「する」で表記した部分）と、車両情報表示をしない情報表示禁止選択部１５ｂ（図３において「しない」で表記した部分）と、を備えている。加えて、車両情報表示方法の選択肢として、自車位置マーク外に車両情報を表示するマーク外表示選択部１５ｃ（図３において「自車マーク表示」で表記した部分）と、自車位置マークを通常表示より大きく表示すると共に大きな自車位置マーク内に車両情報を表示するマーク内表示選択部１５ｄ（図３において「大きく表示」で表記した部分）と、を備えている。
【００１５】
ステップＳ１では、車両インタフェース部５から取り込まれる車両信号のうち、特定の車両信号（ライティングシステムからの外装ランプ動作信号）の入力があるか否かの判断をし、YESの場合はステップＳ２へ移行し、NOの場合はエンドへ移行する。
【００１６】
ステップＳ２では、ステップＳ１での特定の車両信号の入力があるとの判断に続き、情報選択画面１５のメニューで情報表示許可選択部１５ａの選択操作により、表示するとなっているか否かを判断し、YESの場合はステップＳ３へ移行し、NOの場合はステップＳ６へ移行する。
【００１７】
ステップＳ３では、ステップＳ２でのメニューで表示するになっているとの判断に続き、表示方法としては、マーク外表示選択部１５ｃへのタッチ操作によるマーク外表示方法の選択時か、マーク内表示選択部１５ｄへのタッチ操作によるマーク内表示方法の選択時か、の判断をし、マーク外表示方法の選択時にはステップＳ４へ移行し、マーク内表示方法の選択時にはステップＳ５へ移行する。
【００１８】
ステップＳ４では、ステップＳ３でのマーク外表示方法の選択時であるとの判断に続き、自車位置マークＡの外に外装ランプ動作情報を表示し（図４参照）、ステップＳ６へ移行する。
【００１９】
ステップＳ５では、ステップＳ３でのマーク内表示方法の選択時であるとの判断に続き、自車位置マークＡを通常表示より大きく表示すると共に大きな自車位置マークＡＬの内に外装ランプ動作情報を表示し（図５参照）、ステップＳ６へ移行する。
ここで、表示部１０に表示する自車位置マークＡのデザインは、図４及び図５に示すように、車の形状とし、表示部１０は、情報選択画面１５によりマーク外表示選択部１５ｃを選択すると、図４に示すように、車形状の自車位置マークＡの外周位置に付した矢印（ウインカーランプの例）をランプ点滅に対応して点滅しているように描画し、情報選択画面１５によりマーク内表示選択部１５ｄを選択すると、図５に示すように、車形状の自車位置マークＡＬでの実際のランプ位置に相当する角位置（ハザードランプの例）をランプ点滅に対応して点滅しているように描画する。
なお、ステップＳ１〜ステップＳ５は、電装品動作情報表示制御手段に相当する。
【００２０】
ステップＳ６では、ステップＳ２でのメニューで表示するになっていない、あるいは、ステップＳ４またはステップＳ５での外装ランプ動作情報の表示に続き、外装ランプ動作情報が異常か否かを判定し、YESの場合はステップＳ７へ移行し、NOの場合はエンドへ移行する（電装品動作情報異常判定手段）。
ここで、外装ランプ動作情報の異常判定は、
・ウインカーランプを点滅させたままで長時間走行したときや、ある程度速度がある状態でハザードランプをつけたままで一定時間以上継続したときなどのように、外装ランプ動作が検出された後、正常時のランプ作動時間を超えて動作が継続したとき、
・ウインカーランプの点滅動作速度が正常時より速いときなどのように、外装ランプ動作状態が正常な状態ではないとき、
・ハザードランプをつけたままでアクセサリスイッチをオフにしたときなどのように、外装ランプの動作中に不都合な操作をしたとき、
などにおいて、外装ランプ動作情報が異常であると判定する。
【００２１】
ステップＳ７では、ステップＳ６での外装ランプ動作情報が異常であるとの判定に続き、異常であることの確認メッセージを表示（ナビゲーション画面）や音声（スピーカ１４）で知らせ、エンドへ移行する（異常報知手段）。
【００２２】
次に、作用を説明する。
カーナビゲーションシステムや、車載コンピューティングシステムのナビゲーションソフトの基本性能は、道路地図を表示すること、その道路地図上に自車の位置を表示することである。
また、付随機能として、検索データベースを備え経路案内や施設の検索をしたり、道路地図上にリアルタイムの交通情報を表示したりと機能を追加しながら発展してきた。
【００２３】
しかし、車両の電装品の動作状態をわかりやすく表示し、ドライバーに認識されるものはなく、単に、トンネル通過後、ライトを消し忘れた場合、そのことを知らせることを目的とし、トンネル通過後、一定距離走行してもライトが消されない場合、音声ガイダンスなどでドライバーに知らせる手段を有する付加情報部を備えたものが知られているだけである（特開２０００−１６１９６７号公報）。
【００２４】
つまり、従来のナビゲーション装置においても、ドライバーがライトの動作状態を知りたい場合には、スピードメータ周辺に配置されている灯類などを見るしかなかったため、ドライバーがライトの動作状態を認識するために、一瞬、この灯類による表示を見ただけでは、確認できないときがあった。
【００２５】
例えば、スピードメータ内にフロントフォグランプ表示灯があり、燃料計内にテールランプ表示灯があり、タコメータとスピードメータとの間の位置にターンシグナル表示灯やハイビーム表示灯があるというように、各ランプの表示灯は１箇所に集中して配置されていない。このため、仮にテールランプの表示を確認しようとしてドライバーがスピードメータに目を移しても、テールランプ表示灯は燃料計内にあり、スピードメータ内にはテールランプ表示灯が無く、テールランプの動作を確認できないことになる。
【００２６】
これに対し、実施例１のナビゲーション装置では、ドライバーが特定の外装ランプの動作状態を知りたい場合、ドライバーがナビゲーション画面を一瞬見るだけで、知りたい特定の外装ランプの動作状態を容易に認識することができるようにした。
【００２７】
すなわち、ナビゲーション画面には自車位置マークが表示され、ナビゲーションを使っての走行中、ドライバーはナビゲーション画面の自車位置マークに目を移す点に着目し、車載の外装ランプの動作の有無と動作状態を検出し、外装ランプの動作が検出されると、自車位置マークに反映させて検出された特定の外装ランプの動作状態を表示する手段を採用した。
【００２８】
したがって、ドライバーが特定の外装ランプの動作状態を知りたい場合、スピードメータ周辺に分散して配置されている灯類のうち、特定の外装ランプの動作を表示する表示灯がどれかを判別した上で、判別した表示灯の点灯や点滅を確認するというように、複雑な認識動作を行う必要が無く、ナビゲーション画面の自車位置マークという１箇所に集約された表示を見るだけで良い。
【００２９】
この結果、ドライバーが特定の外装ランプ動作状態を知りたい場合、ナビゲーション画面を一瞬見るだけで、ナビゲーション画面の自車位置マークに反映させて表示されている外装ランプ動作状態により、知りたい特定の外装ランプ動作状態を容易に認識することができる。
以下、実施例１での外装ランプの動作情報表示制御作用及び外装ランプの動作異常報知作用について説明する。
【００３０】
［外装ランプの動作情報表示制御作用］
まず、車両インタフェース部５から取り込まれる車両信号のうち、特定の車両信号（ライティングシステムからの外装ランプ動作信号）の入力がない場合には、図２のフローチャートにおいて、ステップＳ１→エンドへと進む流れとなり、直前までナビゲーション画面の自車位置マークに対し外装ランプの動作表示がされていた場合には、外装ランプの動作表示が無くなり、「表示有り」から「表示無し」へと切り替わることにより、表示されていた特定の外装ランプの点灯動作あるいは点滅動作が終了したことをドライバーに認識させる。また、特定の車両信号の入力がない状態が継続している場合は、外装ランプの動作表示が無いままとなり、「表示無し」により全ての外装ランプが消灯状態であることをドライバーに認識させる。
【００３１】
次に、ライティングシステムからの外装ランプ動作信号の入力が有り、表示部１０の情報選択画面１５を開いたユーザーが、メニューの中から、情報表示許可選択部１５ａとマーク外表示選択部１５ｃとを選択した場合には、図２のフローチャートにおいて、ステップＳ１→ステップＳ２→ステップＳ３→ステップＳ４へと進み、ステップＳ４では、自車位置マークＡの外に外装ランプ動作情報が表示される。
例えば、ウインカーランプの動作信号が入力された場合には、図４に示すように、デザインを車の形状とした自車位置マークＡの外周位置に付した矢印をランプ点滅に対応して点滅しているように描画されることで、ドライバーがウインカーランプの動作を知りたいとき、ナビゲーション画面を一瞬見るだけで、ウインカーランプ動作状態を容易に認識することができる。
【００３２】
次に、ライティングシステムからの外装ランプ動作信号の入力が有り、表示部１０の情報選択画面１５を開いたユーザーが、メニューの中から、情報表示許可選択部１５ａとマーク内表示選択部１５ｄとを選択した場合には、図２のフローチャートにおいて、ステップＳ１→ステップＳ２→ステップＳ３→ステップＳ５へと進み、ステップＳ５では、自車位置マークＡを通常表示より大きく表示すると共に大きな自車位置マークＡＬの内に外装ランプ動作情報が表示される。
例えば、ハザードランプの動作信号が入力された場合には、図５に示すように、デザインを車の形状とした自車位置マークＡＬでの実際のランプ位置に相当する角位置をランプ点滅に対応して点滅しているように描画されることで、ドライバーがハザードランプの動作を知りたいとき、ナビゲーション画面を一瞬見るだけで、ハザードランプ動作状態を容易に認識することができる。
【００３３】
［外装ランプの動作異常報知作用］
ライティングシステムからの外装ランプ動作信号の入力が有り、表示部１０の情報選択画面１５を開いたユーザーが、メニューの中から、情報表示禁止選択部１５ｂを選択した場合には、図２のフローチャートにおいて、ステップＳ１→ステップＳ２→ステップＳ６へと進む。
また、ライティングシステムからの外装ランプ動作信号の入力が有り、表示部１０の情報選択画面１５を開いたユーザーが、メニューの中から、情報表示許可選択部１５ａとマーク外表示選択部１５ｃとを選択した場合には、図２のフローチャートにおいて、ステップＳ１→ステップＳ２→ステップＳ３→ステップＳ４→ステップＳ６へと進む。
さらに、ライティングシステムからの外装ランプ動作信号の入力が有り、表示部１０の情報選択画面１５を開いたユーザーが、メニューの中から、情報表示許可選択部１５ａとマーク内表示選択部１５ｄとを選択した場合には、図２のフローチャートにおいて、ステップＳ１→ステップＳ２→ステップＳ３→ステップＳ５→ステップＳ６へと進む。
【００３４】
つまり、ライティングシステムからの外装ランプ動作信号の入力が有る場合、動作状態の表示の有無にかかわらず、ステップＳ６へと進み、ステップＳ６では、外装ランプ動作情報が異常であるか否かが判定される。そして、外装ランプ動作情報が正常である場合は、そのままエンドへ進むが、異常であると判定された場合には、ステップＳ７へ進み、ステップＳ７では、ドライバーに対し異常であることを確認メッセージの表示（ナビゲーション画面）や音声（スピーカ１４）で知らせる。
【００３５】
例えば、
・ハザードランプやウインカーランプの回路系が故障により作動したままで長い時間走行するとき、
・ウインカーランプは、車両が方向を変えてハンドルを戻したときに構造的に止まるようにできている。しかし、直進しているときのレーン変更の場合などは、この機構が働かず、方向指示対象がないのにウインカーランプが作動し続けるとき、
・速度がある程度ある状況で、一定時間以上ハザードランプが作動し続けているとき、
・ハザードランプを作動させたままでアクセサリスイッチをオフにしたとき、
・ウインカーランプの点滅動作の速さが速いとき、
などにおいて、ドライバーに対し特定の外装ランプが異常であると注意を促すことができる。
【００３６】
特に、車外の照度変化によりヘッドランプなどの点灯や消灯を自動制御するオートライトシステムを搭載した車両では、本来、自動的に消灯するため、気にする必要はないのであるが、自動的な消灯制御が働かず、点灯したままとなることがある。このような場合、異常であることをドライバーに報知することで、手動による消灯操作を促すことができるし、早期にシステム故障への対応（修理）を促すことができる。
【００３７】
次に、効果を説明する。
実施例１のナビゲーション装置、方法及びプログラムにあっては、下記に列挙する効果を得ることができる。
【００３８】
(1) 目的地を設定すると、表示部１０に画面表示された道路地図上に、自車が存在する位置を自車位置マークにて表示し、自車の移動に応じて道路地図と自車位置マークとの位置関係を移動させながら目的地までの経路を案内するナビゲーション装置において、車載の外装ランプの動作の有無と動作状態を検出する外装ランプ動作検出手段（車両インタフェース部５）と、前記外装ランプ動作検出手段により外装ランプの動作が検出されると、前記自車位置マークに反映させて検出された特定の外装ランプ動作状態を表示する外装ランプ動作情報表示制御手段（図２のステップＳ１〜ステップＳ５）と、を備えたため、ドライバーが特定の外装ランプ動作状態を知りたい場合、ドライバーがナビゲーション画面を一瞬見るだけで、知りたい特定の外装ランプ動作状態を容易に認識し得るナビゲーション装置を提供することができる。
【００３９】
(2) 前記外装ランプ動作検出手段（車両インタフェース部５）は、自車のライティングシステムから外装ランプ動作信号が入力された場合に外装ランプ動作時であると検出し、かつ、入力された外装ランプ動作信号の変化により外装ランプ動作状態を検出するため、外装ランプ動作信号の入力と変化により、容易に外装ランプの動作の有無と動作状態を検出することができる。
【００４０】
(3) 前記表示部１０は、外装ランプ動作状態をあらわす車両情報を表示するか否かを選択する情報選択画面１５を有し、前記情報選択画面１５は、車両情報表示方法の選択肢として、自車位置マークＡの外に車両情報を表示するマーク外表示選択部１５ｃと、自車位置マークを通常表示より大きく表示すると共に大きな自車位置マークＡＬの内に車両情報を表示するマーク内表示選択部１５ｄと、を備えているため、外装ランプ動作情報の表示の有無という選択自由度を持たせることができると共に、表示方法としてマーク外表示とマーク内表示との選択自由度を持たせることができる。
(4) 前記情報選択画面１５により外装ランプ動作状態をあらわす車両情報を表示する選択をすると前記表示部１０に表示する自車位置マークＡのデザインを車の形状とし、前記表示部は、前記情報選択画面１５によりマーク外表示選択部１５ｃを選択すると、車形状の自車位置マークＡの外周位置に付した印を点灯あるいは点滅しているように描画し、前記情報選択画面１５によりマーク内表示選択部１５ｄを選択すると、車形状の自車位置マークＡＬでの実際のランプ位置に相当する位置を点灯あるいは点滅しているように描画するため、例えば、自車位置マークを三角マークなどで表す場合に比べ、車両のどの位置に装備されている外装ランプであるかが一目瞭然となり、外装ランプの種別を特定する視認性を高めることができる。
(5) 前記外装ランプ動作検出手段（車両インタフェース部５）により外装ランプの動作が検出された後、正常時の作動時間を超えて動作が継続したとき、または、動作状態が正常な状態ではないとき、または、外装ランプの動作中に不都合な操作をしたとき、外装ランプ動作情報が異常であると判定する外装ランプ動作情報異常判定手段（ステップＳ６）と、前記外装ランプ動作情報異常判定手段により外装ランプ動作情報が異常であると判定された場合、異常であることの確認メッセージを表示や音声で知らせる異常報知手段（ステップＳ７）と、を備えたため、自動的な消灯制御が働かない場合などのように、入力した外装ランプの動作情報が異常である場合、早期にドライバーに対し特定の外装ランプが異常であると注意を促すことができる。
【００４１】
(6) 目的地を設定すると、表示部１０に画面表示された道路地図上に、自車が存在する位置を自車位置マークにて表示し、自車の移動に応じて道路地図と自車位置マークとの位置関係を移動させながら目的地までの経路を案内するナビゲーション方法において、車載の外装ランプの動作の有無と動作状態を検出する外装ランプ動作検出手順と、前記外装ランプ動作検出手順により外装ランプの動作が検出されると、前記自車位置マークに反映させて検出された特定の外装ランプの動作状態を表示する外装ランプ動作情報表示制御手順と、を備えたため、ドライバーが特定の外装ランプ動作状態を知りたい場合、ドライバーがナビゲーション画面を一瞬見るだけで、知りたい特定の外装ランプ動作状態を容易に認識し得るナビゲーション方法を提供することができる。
【００４２】
(7) 目的地を設定すると、表示部１０に画面表示された道路地図上に、自車が存在する位置を自車位置マークにて表示し、自車の移動に応じて道路地図と自車位置マークとの位置関係を移動させながら目的地までの経路を案内するナビゲーションコンピュータのプログラムに、車載の外装ランプの動作の有無と動作状態を検出する外装ランプ動作検出機能と、前記外装ランプ動作検出機能により外装ランプの動作が検出されると、前記自車位置マークに反映させて検出された特定の外装ランプ動作状態を表示する外装ランプ動作情報表示制御機能と、を持たせたため、ドライバーが特定の外装ランプ動作状態を知りたい場合、ドライバーがナビゲーション画面を一瞬見るだけで、知りたい特定の外装ランプ動作状態を容易に認識し得るナビゲーションプログラムを提供することができる。
【００４３】
以上、本発明のナビゲーション装置、方法及びプログラムを実施例１に基づき説明してきたが、具体的な構成については、この実施例１に限られるものではなく、特許請求の範囲の各請求項に係る発明の要旨を逸脱しない限り、設計の変更や追加などは許容される。
【００４４】
実施例１では、動作情報を表示する電装品として、ライティングシステムの外装ランプとする例を示したが、本発明の適用対象とする電装品としてはライティングシステムの外装ランプのみに限られるものではなく、ワイパー、ウォッシャー、ホーン、ＬＡＮシステム、オーディオビジュアルシステムなど、車載された様々な電装品にも適用することができる。
【００４５】
実施例１では、外装ランプ動作状態をあらわす車両情報を表示するか否かを選択する情報選択画面を有し、この情報選択画面は、車両情報表示方法の選択肢として、自車位置マーク外に車両情報を表示するマーク外表示選択部と、自車位置マークを通常表示より大きく表示すると共に大きな自車位置マーク内に車両情報を表示するマーク内表示選択部と、を備え、表示無しモードとマーク外表示モードとマーク内表示モードとの３つのモードから選択できる選択自由度の高い好ましい例を示した。
しかし、車両情報を表示するか否かの選択画面のみを持ち、車両情報を表示するという選択をした場合には、マーク外表示モードまたはマーク内表示モードのうち、何れか１つの表示モードとなる例としても良い。また、情報選択画面が無く、ナビゲーションシステムを使用すると、所定の表示モードにより車両情報を必ず表示する例としても良い。さらに、車形状にデザインされた自車位置マークを、例えば、ナビゲーション画面全体までに大きく拡大する選択部を有する選択画面を持ち、この画面が選択された場合には、実際の電装品が装備されている自車位置マークの位置に電装品の動作状態を表示するようにしても良い。要するに、電装品動作検出手段と、電装品動作情報表示制御手段とを有するものであれば、具体的構成は、実施例１に限定されることはない。
【図面の簡単な説明】
【００４６】
【図１】実施例１のナビゲーション装置、方法及びプログラムが採用されたナビゲーションシステムを示すシステムブロック図である。
【図２】実施例１のナビゲーションシステムにて実行されるランプ動作情報表示処理、ランプ動作情報異常判定処理及び異常報知処理の流れを示すフローチャートである。
【図３】実施例１のナビゲーションシステムの表示部に有する情報選択画面の一例を示す正面図である。
【図４】実施例１のナビゲーションシステムの表示部に表示された車形状の自車位置マークの外周部の矢印によりウインカーランプの点滅動作状態を表示しているナビゲーション画面の一例を示す正面図である。
【図５】実施例１のナビゲーションシステムの表示部に表示された大きくした車形状の自車位置マークの内部のランプ装着部分によりハザードランプの点滅動作状態を表示しているナビゲーション画面の一例を示す正面図である。
【符号の説明】
【００４７】
１  絶対位置・方位検出部
２  相対方位検出部
３  車速検出部
４  ＶＩＣＳ情報受信部
５  車両インタフェース(I/F)部（電装品動作検出手段）
６  メインＣＰＵ及びその周辺回路
７  記憶部
８  ディスク制御部
９  ユーザインターフェース部
１０  表示部
１１  入力部
１２  音声合成部
１３  ＡＭＰ部
１４  スピーカ
１５  情報選択画面
【図１】
2008032603.tif 000003
【図２】
2008032603.tif 000004
【図３】
2008032603.tif 000005
【図４】
2008032603.tif 000006
【図５】
2008032603.tif 000007